(57)【要約】【課題】  本発明は、光ファイバ心線の端末処理の作業性を向上させる光ファイバ着色心線、光ファイバ着色テープ心線、光ファイバケーブル、及び光ファイバドロップケーブルを提供する。【解決手段】  本発明の光ファイバ着色心線は、光ファイバ心線の外周に着色層が設けられた光ファイバ着色心線であって、着色層は２色以上の色の組合せにより構成される。これにより、人が識別可能な色数の範囲内で、多数本の光ファイバを識別可能に着色することができるので、光ファイバ心線を複数本収納してもそれぞれの識別性が向上し、引いては光ファイバ心線の端末処理の作業性を向上させることができる。【選択図】      図１
2005331823.tif 000002
【特許請求の範囲】
【請求項１】
光ファイバ心線の外周に着色層が設けられた光ファイバ着色心線であって、
前記着色層は、２色以上の色の組合せにより構成されることを特徴とする光ファイバ着色心線。
【請求項２】
前記着色層は、延伸方向に垂直な断面において、該着色層を２分割し、第１の着色層と第２の着色層で構成され、前記第１の着色層と前記第２の着色層が異なる色で構成されていることを特徴とする請求項１記載の光ファイバ着色心線。
【請求項３】
請求項１又は２記載の光ファイバ着色心線の延伸方向を揃えて複数本を並列配置し、これらを二次被覆によりテープ状に加工してなることを特徴とする光ファイバ着色テープ心線。
【請求項４】
断面形状が円形のスロットロッドであって延伸方向に沿って複数個のスロットを備える円柱形のスロットロッドと、
請求項１、２記載の光ファイバ心線、請求項３記載の光ファイバテープ心線のいずれか又はこれらの組合せを複数本集合させてなる集合体とを有し、
前記スロットに前記集合体を収納し、その外周をケーブルシースで被覆してなることを特徴とする光ファイバケーブル。
【請求項５】
請求項１又は２記載の光ファイバ着色心線、又は請求項３記載の光ファイバ着色テープ心線と、
前記光ファイバ着色心線又は光ファイバ着色テープ心線の延伸方向に沿って光ファイバ着色心線又は光ファイバ着色テープ心線の両側に配置される抗張力体と、
前記光ファイバ着色心線又は光ファイバ着色テープ心線と前記抗張力体を被覆するケーブルシースであって、前記延伸方向に垂直な面内において前記抗張力体を結ぶ第１方向に直交する第２方向の前記光ファイバ心線の両側におけるケーブルシースの表面に少なくとも１つのノッチが形成されたケーブルシースと、
を備えることを特徴とする光ファイバドロップケーブル。
【発明の詳細な説明】
【技術分野】
【０００１】
本発明は、光伝送通信に使用される光ファイバ心線、光ファイバテープ心線、光ファイバネットワークの幹線系に使用される光ファイバケーブル、及びクロージャから集合住宅の戸内への引き落しに利用する光ファイバドロップケーブルに関し、特に、識別性の向上及び作業性の向上に寄与する光ファイバ着色心線、光ファイバ着色テープ心線、光ファイバケーブル、及び光ファイバドロップケーブルに関する。
【背景技術】
【０００２】
近年の高度情報通信社会の推進に伴い、ＦＴＴＨ（Fiber to the Home）が普及し始めている。ＦＴＴＨは、図１１に示すように、電話局１００の末端に設けられたリモート端末１０８から幹線上に設けられる地下用クロージャ１０２、架空用クロージャ１０４を介して各ユーザ宅まで光ファイバを布設し、電話、コンピュータ通信、ＣＡＴＶ（ケーブル・テレビや光ネットワークの配線方法）などの通信サービスを統合して提供するネットワークサービスである。
【０００３】
ここで幹線系に用いる光ファイバのことを光ファイバケーブル１０３と呼び、架空用クロージャ１０４から各ユーザ宅への引き落しに使用する光ファイバを光ファイバドロップケーブル１０６という。
【０００４】
次に図１２（ａ）、図１２（ｂ）、図１３を参照して、上記光ファイバケーブル１０３と光ファイバドロップケーブル１０６の具体的な構造を説明する。
【０００５】
図１２（ａ）に示す光ファイバケーブル１０３ａは、断面中心部に配置されたテンションメンバ１１４と、このテンションメンバ１１４の周囲を覆いつつ外側面に５つのスロット１１２を備える円柱形のスロットロッド１１１と、光ファイバ心線を複数本横一列に並べて二次被覆によりテープ状に加工してなる光ファイバテープ心線１１３を複数枚重ねてスロット１１２に収納し、その外周をケーブルシース１１６で被覆してなるものである。
【０００６】
一方、図１２（ｂ）に示す光ファイバケーブル１０３ｂは、光ファイバ心線１２０の状態で収納した場合のケーブル断面図である。
【０００７】
これら光ファイバケーブル１０３ａ、ｂは、複数本束ねられた状態で、マンホールの地下埋設路に埋設されたり、電柱１０５上に設けられた架空用クロージャ１０４間に懸架される。
【０００８】
一方、光ファイバドロップケーブル１０６は、図１３に示すように長尺の光ファイバ心線１２０を挟んでその両側に平行に配置される一対のテンションメンバ１２１と、このテンションメンバ１２１と平行且つ一対のテンションメンバ１２１の断面中心点を結んだ延長線上に配置される支持線１２２と、これら光ファイバ心線１２０、テンションメンバ１２１及び支持線１２２を一括被覆するケーブルシース１２３とで構成され、光ファイバ心線１２０の両側には引き裂き用のノッチ１２４が設けられている。
【０００９】
このような光ファイバドロップケーブル１０６は、一方の端が架空用クロージャに接続され、他方がユーザ宅の光成端箱１０７に接続される。即ち、一方の端の内支持線１２２が収納されている首部と光ファイバ心線１２０が収納されている光エレメント部とが分離され、首部は電柱の固定金具に固定され、光エレメント部は予め架空用クロージャ１０４内に収納されている光ファイバ心線に融着接続される。また他方の端の首部は、ユーザ宅の引き留め具に固定され、光ファイバ心線は光成端箱１０７に収納されている光ファイバ心線と融着接続される。これにより電話局１００からユーザ宅までの通信が可能になる。
【００１０】
ところで、上記光ファイバケーブル１０３ａ、ｂ及び光ファイバドロップケーブル１０６に収納される光ファイバ心線については、近年、被覆除去作業性を考慮して非加熱式リムーバでの被覆除去可能な光ファイバ心線が提案されている（特許文献１）。
【００１１】
この特許文献１に開示されている光ファイバ心線は、光ファイバを被覆する第１及び第２の被覆層と、更にこの外周面を被覆するオーバーコート層とからなり、第２の被覆層の外径は約２５０μｍを有し、オーバーコート層の外径は約５００μｍを有している。
【００１２】
この光ファイバ心線によれば、オーバーコート層に適用する紫外線硬化型樹脂のヤング率を３０ＭＰａ以上１００ＭＰａ以下に設定することで、非加熱式リムーバであっても容易に被覆を除去することができ、作業性を向上させることができるというものである。
【００１３】
ところで上述した光ファイバケーブル１０３ａ、ｂは、複数本の光ファイバ心線を収納しているが、これら光ファイバ心線のそれぞれに目的別の信号を確実に伝送させるには送信側のケーブルと受信側のケーブルを確実に接続させる必要がある。
【００１４】
そこで、光ファイバ心線の外周に着色層を設けることで、光ファイバ心線の識別を行う技術が既に開示されている（特許文献２）。このような光ファイバ心線は、光ファイバ心線の外周に均一な厚さを有する着色層を設け、それに単色色付けを行っている。
【特許文献１】特開２００３−２４１０３３号公報
【特許文献２】特開２００４−１２６８０号公報
【発明の開示】
【発明が解決しようとする課題】
【００１５】
ところで、上述した外径２５０μｍの光ファイバ素線と比較して、外径５００μｍを有する光ファイバ心線は、クロージャの収納性及び接続の作業性の点から市場で要望視されている。
【００１６】
しかし、外径５００μｍの光ファイバ心線を複数本含むケーブルは、数十本〜数百本のレベルで光ファイバ心線を収納するため、その識別性の点で問題が生じていた。
【００１７】
即ち、図１２（ａ）に示した従来の光ファイバケーブル１０３ａは、１つのスロット１１２に光ファイバテープ心線（４心）を５枚積層させて収納するため（即ち２０心を収納する）、ケーブルの布設作業を行う際に、収納された複数本の光ファイバテープ心線から目的の光ファイバ心線を探し出すのは容易であるが、図１２（ｂ）に示した外径５００μｍの光ファイバ心線を複数本収納した光ファイバケーブル１０３ｂでは、１つのスロット１１２に２０本の光ファイバ心線が収納されており、目的の光ファイバ心線を探し出すのに手間が掛かり、作業効率を低下させている。
【００１８】
一般に、光ファイバ心線の着色層に用いられる着色の種類は十数種類程度であることから、作業者が端末処理の作業速度を低下させずに作業を行うためには、識別できる光ファイバ心線の色は１２〜１６本程度が限界であるといわれている。
【００１９】
本発明は、上記課題を鑑みてなされたものであり、その目的は、光ファイバ心線の識別性を向上させることで、光ファイバ心線の端末処理の作業性を向上させる光ファイバ着色心線、光ファイバ着色テープ心線、光ファイバケーブル、及び光ファイバドロップケーブルを提供することにある。
【課題を解決するための手段】
【００２０】
上記課題を解決するために、請求項１記載の本発明に係る光ファイバ着色心線は、光ファイバ心線の外周に着色層が設けられた光ファイバ着色心線であって、着色層は、２色以上の色の組合せにより構成されることを要旨とする。
【００２１】
請求項２記載の本発明に係る光ファイバ着色心線は、請求項１記載の光ファイバ着色心線であって、着色層は、延伸方向に垂直な断面において、この着色層を２分割し、第１の着色層と第２の着色層で構成され、第１の着色層と第２の着色層が異なる色で構成されていることを要旨とする。
【００２２】
請求項３記載の本発明に係る光ファイバ着色テープ心線は、請求項１又は２記載の光ファイバ着色心線を用い、この光ファイバ着色心線の延伸方向を揃えて複数本を並列配置し、これらを二次被覆によりテープ状に加工してなることを要旨とする。
【００２３】
請求項４記載の本発明に係る光ファイバケーブルは、断面形状が円形のスロットロッドであって延伸方向に沿って複数個のスロットを備える円柱形のスロットロッドと、請求項１又は２記載の光ファイバ心線、又は請求項３記載の光ファイバテープ心線を複数本集合させてなる集合体とを有し、スロットに集合体を収納し、その外周をケーブルシースで被覆してなることを要旨とする。
【００２４】
請求項５記載の本発明に係る光ファイバドロップケーブルは、請求項１又は２記載の光ファイバ着色心線、又は請求項３記載の光ファイバ着色テープ心線と、光ファイバ着色心線、又は光ファイバ着色テープ心線の延伸方向に沿って光ファイバ着色心線、又は光ファイバ着色テープ心線の両側に配置される抗張力体と、光ファイバ着色心線又は光ファイバ着色テープ心線と抗張力体を被覆するケーブルシースであって、延伸方向に垂直な面内において抗張力体を結ぶ第１方向に直交する第２方向の光ファイバ心線の両側におけるケーブルシースの表面に少なくとも１つのノッチが形成されたケーブルシースとを備えることを要旨とする。
【発明の効果】
【００２５】
本発明の光ファイバ着色心線によれば、光ファイバ心線の外周に設けられた着色層の色を２色以上の色の組合せで構成することにより、作業者の色識別が可能な範囲内で、多数本の光ファイバから目的の１本の光ファイバの識別性を向上させることができる。これに伴い、作業者の端末処理の作業性を向上させることができる。
【発明を実施するための最良の形態】
【００２６】
以下、本発明の実施の形態を図面を参照して説明する。
【００２７】
図１は、本発明の第１の実施の形態に係る光ファイバ着色心線１０の断面図である。
【００２８】
この光ファイバ着色心線１０は、光ファイバ心線の外周に着色層が設けられた光ファイバ着色心線であって、着色層の配色が２色以上の色の組合せにより構成されることを特徴とする。
【００２９】
ここで本発明の光ファイバ着色心線１０の特徴は、これまで単色で構成されていた着色層を２色以上の色を組合せで構成することにより、従来例えば８色で８本を識別していたものを、８色の各組合せにより最大３６本まで識別可能にする点にある。これにより人が識別できる色数の範囲内で、単色着色時よりも３倍以上の識別を可能にすることができる。従ってこのような構成によれば、多数本の光ファイバ着色心線１０を１つに束ねることができるようになる。
【００３０】
本発明において光ファイバ着色心線１０とは、光ファイバ１と、光ファイバ１を被覆する第１の被覆層１２及び第２の被覆層１３と、この第１及び第２の被覆層１２及び１３を更に被覆するオーバーコート層（ジャケット層ともいう。）１４を備えている。
【００３１】
ここで光ファイバ１とは、一般的には誘電体で構成される光を伝送する繊維であって、裸光ファイバ、光ファイバ素線、光ファイバ心線、光ファイバ着色心線、光ファイバコードの総称を指すが、本実施の形態においては光ファイバ着色心線を指す。
【００３２】
尚、裸光ファイバとは、少なくともコアとクラッドを含む光ファイバであり、その種類には、ガラスコアとガラスクラッドのみからなる２層型、ガラスクラッドの外側に更に石英ガラス層を設けた３層型等があるが、これら層型は使用用途により適宜選択されるものとする。尚、この裸光ファイバの断面外径は１２５μｍである。
【００３３】
一方、光ファイバ素線１１とは、上記裸光ファイバにプラスチックの一次被覆を施した光ファイバである。しかし光ファイバ素線１１の構成は上記構成に限らず、コアをガラスとしクラッドをプラスチックとしたもの、又はコア及びクラッドを共にプラスチックとしたものであってもよい。尚、このような光ファイバ素線１１の断面外径は２５０μｍを有する。
【００３４】
尚、上記一次被覆とは、本実施の形態において第１及び第２の被覆層１２及び１３に相当する。本実施の形態において第１及び第２の被覆層１２及び１３は、製造コストの低減と高速化に適した材料として紫外線硬化型樹脂を用いている。しかし第１及び第２の被覆層１２及び１３の材料はこれに限らず、使用用途に応じてシリコーン樹脂や変性シリコーン樹脂に代替してもよい。
【００３５】
本発明の光ファイバ着色心線１０は、この光ファイバ素線１１に二次被覆を被せたものである。この二次被覆は本実施の形態においてオーバーコート層１４に相当する。このオーバーコート層１４も、第１及び第２の被覆層１２及び１３と同様に、製造コスト面と高速化の観点から紫外線硬化型樹脂を用いている。
【００３６】
また本実施の形態において第１の着色層１５ａとは、上述した２種類以上の色素で構成されている。一般に人が識別できる色の種類は１２〜１６種類であるといわれていることから、これらの組合せにより構成されるものとする。具体的な色としては、「青」、「黄」、「緑」、「赤」、「紫」、「白」、「茶」、「黒」・・・等が挙げられる。
【００３７】
尚、本実施の形態においては２色以上としていることから、３色、４色・・・であっても本発明の効果を奏することができる。しかし断面外径が５００μｍの光ファイバ着色心線の場合には、着色面積が狭いことから２色又は３色程度が作業者の識別性の観点から適当である。また２色以上の色をどのように着色するかは、図１に一例に示したように、外周の半周分で色分けを行う方法が挙げられる。
【００３８】
図２は、上記本発明の第１の実施の形態に係る光ファイバ着色心線１０の変形例を示す図である。
【００３９】
この光ファイバ着色心線１７は、上記着色面積の比率を可変させたものである。つまり、図１に示した光ファイバ着色心線１０は、第１の着色層１５ａと第２の着色層１５ｂの着色割合が５：５（半周分ずつ）で構成されていたが、本変形例は、第１及び第２の着色層１５ａ及び１５ｂの着色割合を１：３にしている。
【００４０】
このような構成によれば、一方の着色面積が広くなるので、目的の光ファイバ心線を探すときに、まず着色面積の広い方の色を指標として探し出し、次に選び出された中から他方の色を探せばよい。これにより選択範囲を段階的に絞ることができるので目的の光ファイバ心線を探し易くなる。
【００４１】
尚、上述した着色割合（５：５及び１：３）はこれら割合に限定されるものではなく、他の割合であってもよい。即ち、第１の着色層１５ａと第２の着色層１５ｂを交互に配色してストライプ状に構成してもよい。このとき一方の巾を太くすれば、上述のように段階的に選択範囲を絞る効果も得ることができる。
【００４２】
また、一方の着色層を光ファイバ心線の延伸方向に沿って一筋に伸びる連続線にすることを基本とし、これに代えて連続線を間欠模様に代替してもよい。これらは使用用途によって適宜設定されるものとする。
【００４３】
次に、図３を参照して、本発明の第２の実施の形態に係る光ファイバ着色テープ心線２０の構成を説明する。
【００４４】
図３は、上記第１の実施の形態で説明した光ファイバ着色心線１０を適用した光ファイバ着色テープ心線２０の断面図である。
【００４５】
この光ファイバ着色テープ心線２０は、光ファイバ心線の外周に２色以上の色の組合せにより構成される着色層を備える光ファイバ着色心線１０を複数本用意し、これらを延伸方向を揃えて並列配置してテープ状に被覆加工したものである。
【００４６】
本発明の光ファイバ着色テープ心線２０の特徴は、１本の光ファイバ着色テープ心線２０に収納される複数本の光ファイバ着色心線１０それぞれに共通する共通色を入れる点にある。即ち、第１の着色層１５ａを基準色（共通色）とした場合、第２の着色層１５ｂには基準色と同色又は異色とする。
【００４７】
具体的には図３に示すように、４本の光ファイバ着色心線１０を用意し、１本のテープ心線に収納する場合に、第１の着色層１５ａに入るいわゆる基準色を「青」とし、第２の着色層１５ｂに入る色を「青」又は青以外の色として「白」、「茶」、「黒」とする。
【００４８】
このような構成により、光ファイバ着色テープ心線２０には、必ず基準色（ここでは「青」）が入るので、複数の光ファイバ着色テープ心線２０の束の中から目的の光ファイバ着色心線を見つけ出すときに、この基準色を目印にして大雑把な選択範囲を絞り、更にその選択された中から他方の組合色を指標にして選択肢を絞ることができるようになるので、複数本の光ファイバ着色心線の中から目的の光ファイバ着色心線を容易に見つけ出すことができるようになる。
【００４９】
尚、このとき同じ組合せの配色が、同じテープ心線に収納されないようにする必要がある。即ち、「青」「黄」の組合せに対して、「黄」「青」の組合せのようなケースである。
【００５０】
ところで、このような光ファイバ着色心線１０を被覆する被覆２１は、例えば熱可塑性樹脂からなり、その色は透明又は半透明である。これにより光ファイバ着色心線１０の第１及び第２の着色層１５ａ及び１５ｂの色が被覆２１を通して外部から認識可能となる。
【００５１】
上記構成を有する光ファイバ着色テープ心線２０によれば、このテープ心線の布設作業において、一方の作業者が電話局１００で作業し、他方の作業者がマンホール内で作業する状況において、例えば無線等の通信手段を用いて、まずは一方の作業者が他方の作業者に基準色を伝達し、次に組合色の他方の色を伝達することで、目的の光ファイバ着色心線を相手の作業者に容易且つ確実に伝えることができる。これにより受信者も目的の光ファイバ心線を選び出し易くなる。
【００５２】
次に、図４（ａ）、（ｂ）を参照して、本発明の第３の実施の形態に係る光ファイバケーブル３０の構成を説明する。
【００５３】
この光ファイバケーブル３０は、断面中心部に配置されたテンションメンバ３４と、このテンションメンバ３４の周囲を覆いつつ外側面に例えば５つのスロット３２を備える円柱形のスロットロッド３１を少なくとも有し、このスロット３２に本発明の光ファイバ着色心線１０を複数本束ねて収納した状態で、その外周をケーブルシース３５で被覆したものである。
【００５４】
本発明の光ファイバケーブル３０の特徴は、１つのスロット３２に複数本の光ファイバ着色心線１０をバラバラの状態で収納できる点にある。これまで複数本の光ファイバを収納する場合は、テープ化しなければ複数本の光ファイバ心線を収納することができなかった（即ち、塗布できる色数が限られている為、バラバラに収納する場合はその色数分の本数しか収納できない。）。しかし本発明の光ファイバ着色心線１０を適用することにより、複数本の光ファイバ心線をバラバラの状態で収納しても心線毎に識別が可能になるのでテープ化せずとも収納することができるようになる。
【００５５】
具体的に図４（ｂ）のスロット拡大図を参照して説明する。スロット３２には、光ファイバ着色心線１−１〜１−４、光ファイバ着色心線２−１〜２−４、光ファイバ着色心線３−１〜３−４、光ファイバ着色心線４−１〜４−４、光ファイバ着色心線５−１〜５−４からなる合計２０本の光ファイバ着色心線が収納されている。
【００５６】
ここで図５に示す配色表と併せて説明を行う。図５の表中の「ユニット−心線Ｎｏ」は図４（ｂ）に示した心線番号に対応している。また図５表中の「着色Ａ」は図１及び図２に示した「第１の着色層１５ａ」に対応し、「着色Ｂ」は同じく「第２の着色層１５ｂ」に対応している。
【００５７】
本実施の形態においては、図５に示すように光ファイバ着色心線１−１〜１−４の基準色が「青」、光ファイバ着色心線２−１〜２−４の基準色が「黄」、光ファイバ着色心線３−１〜３−４の基準色が「緑」、光ファイバ着色心線４−１〜４−４の基準色が「赤」、光ファイバ着色心線５−１〜５−４の基準色が「紫」を有している。
【００５８】
従って、光ファイバ着色心線１−１〜１−４には必ず基準色である「青」が入り、その組合色として「青」又は「白」、「茶」、「黒」が配色される。光ファイバ着色心線２−１〜２−４、光ファイバ着色心線３−１〜３−４、光ファイバ着色心線４−１〜４−４、光ファイバ着色心線５−１〜５−４も同様である。
【００５９】
このような光ファイバケーブルによれば、現在地下埋設されている光ファイバケーブルの中には未だに複数の光ファイバ心線を束ねたものやテープ心線のままのものが存在するが、このような状況に対して本発明を以下のように使用することができる。
【００６０】
即ち、相手がテープ心線である場合は、新たに布設する本発明の光ファイバケーブルに収納された１本ずつバラバラの状態で存在する光ファイバ心線を、基準色（例えば「青」）を目印にしてグルーピングし、このグルーピングされた光ファイバ心線を所望の順番に並べ替えて（例えば「青」、「白」、「茶」、「黒」）テープ化し、その後、テープ心線用融着器を用いて既に埋設されているテープ心線と一括融着する。
【００６１】
従ってこのような構成によれば、従来は複数本の中から目的の１本を見つけるのに非常に時間が必要であったが、本発明の光ファイバケーブルを適用することにより、予め光ファイバ着色心線の外周の半分又はそれ以上の領域が基準色で着色されているので見分け易くなる。また、接続先がテープ状であってもバラバラであっても、その状況に応じて適宜テープ化することができるので汎用性が高い。
【００６２】
尚、本実施の形態においては、基準色の種類を５種類（青、黄、緑、赤、紫）としたが、色の種類はこれに限定されるものではない。人の目で識別できる範囲が１２〜１６種類といわれているので、その範囲内で変更可能である。また同様に、組合せる色の種類（即ち、第２の着色層の色）も上記実施の形態の種類に限定されるものではなく、適宜、視覚認識可能な範囲内で変更可能である。従って最大１６種類の色を適用した場合には、１３６本の着色組合せを提供することができる（２色使いの場合）。
【００６３】
次に、図６（ａ）、（ｂ）を参照して、本発明の第４の実施の形態に係る光ファイバケーブル３７について説明する。
【００６４】
この光ファイバケーブルは、図４に示した光ファイバケーブル３０において、バラバラの状態で収納した光ファイバ着色心線に代えて、図３に示した光ファイバ着色テープ心線２０を複数枚重ねて収納したものである。
【００６５】
即ち、この光ファイバケーブル３０は、断面中心部に配置されたテンションメンバ３４と、このテンションメンバ３４の周囲を覆いつつ外側面に例えば５つのスロット３２を備える円柱形のスロットロッド３１と、本発明の光ファイバ着色心線１０を並列接続してなる光ファイバ着色テープ心線２０を複数枚重ねてスロット３２に収納し、その外周をケーブルシース３５で被覆してなるものである。
【００６６】
図６（ｂ）に示すように、この光ファイバケーブル３７には、複数本の光ファイバ着色心線１−１〜１−４を一列に並列配置させてなる第１の光ファイバ着色テープ心線と、光ファイバ着色心線２−１〜２−４からなる第２の光ファイバ着色テープ心線と、以下同様に光ファイバ着色心線３−１〜３−４からなる第３の光ファイバ着色テープ心線と、光ファイバ着色心線４−１〜４−４からなる第４の光ファイバ着色テープ心線と、光ファイバ着色心線５−１〜５−４からなる第５の光ファイバ着色テープ心線を収納している。以下、第１〜第５の光ファイバ着色テープ心線を、単に第１〜第５のテープ心線と呼ぶ。
【００６７】
ここで示した心線番号も第３の実施の形態と同様に図５に示す表の「ユニット−心線Ｎｏ」に対応している。また表中の「着色Ａ」は「第１の着色層１５ａ」に対応し、「着色Ｂ」は「第２の着色層１５ｂ」に対応している。
【００６８】
本実施の形態においては、図５に示すように、第１のテープ心線の基準色が「青」、第２のテープ心線の基準色が「黄色」、第３のテープ心線の基準色が「緑」、第４のテープ心線の基準色が「赤」、第５のテープ心線の基準色が「紫」とした。
【００６９】
従って、第１のテープ心線には、必ず基準色である「青」が入り、その組合色として「青」又は「白」、「茶」、「黒」が配色されている。第２〜第５のテープ心線も同様である。
【００７０】
このような光ファイバケーブル３０によれば、作業時は、架空用クロージャ１０４に懸架されたケーブルシース３５の端をニッパで切開し、次にスロットロッド３１の外側面の長尺方向に刻まれたトレース３３を目印にして目的のスロット３２を探し出し、そしてスロット３２に収納された光ファイバ着色テープ心線２０の中から基準色を目印にして目的の光ファイバ着色テープ心線２０を取り出して、次いで選択された光ファイバ着色テープ心線２０から組合色を指標にして目的の光ファイバ着色心線を取り出すことで、数百本程度収納された光ファイバケーブルの中から目的の１本の光ファイバ心線を取り出すことができる。
【００７１】
次に、図７を参照して、上記第３及び第４の実施の形態に示した光ファイバケーブル３０及び３７の他の変形例を示す。
【００７２】
この光ファイバケーブル４０は、断面中心部に複数本を束ねて構成されるテンションメンバ４４と、このテンションメンバ４４の周囲を覆いつつ外側面に複数個のスロット４２を備える円柱形のスロットロッド４１と、光ファイバ着色心線１０を複数本束ねて収納する、又は光ファイバ着色心線１０を並列接続してテープ状に加工してなる光ファイバ着色テープ心線を複数枚重ねてスロット４２に収納し、その外周をＷＢテープ（防水テープ）４６で巻き、更にその外周をケーブルシース４５で被覆してなるものである。
【００７３】
このような構成の場合も、収納されている光ファイバ着色心線１０又は光ファイバ着色テープ心線２０の１本１本に本発明の第１の着色層１５ａと第２の着色層１５ｂを予め配色させておくことで、目的の１本の光ファイバ着色心線１０を見つけ出すことが容易になる。
【００７４】
また更に図８は、図４及び図６に示した光ファイバケーブル３０（又は３７、以下同様）の更に他の変形例を示す図である。
【００７５】
この光ファイバケーブル５０は、断面中心部に複数本を束ねて構成されるテンションメンバ５４と、このテンションメンバ５４の周囲を囲むように配置される図４に示した光ファイバケーブル３０と、これら光ファイバケーブル３０の間に光ファイバケーブル３０と平行に配置される介在対５３と、これらを一括して被覆するケーブルシース５５で構成されている。
【００７６】
このような構成を有する光ファイバケーブル５０も、本発明の光ファイバ着色心線１０を適用することにより、多数本の光ファイバ着色心線１０の中から目的の１本の光ファイバ着色心線１０を容易に見つけ出し易くなる。
【００７７】
図９は、本発明の第５の実施の形態に係る光ファイバドロップケーブル６０であって、本発明の光ファイバ着色心線１０を適用した光ファイバドロップケーブル６０の断面図である。
【００７８】
この光ファイバドロップケーブル６０は、複数本の光ファイバ着色心線１−１〜１−８を一列に並列配置させてなる光ファイバ着色心線の集合体と、この集合体を固定するために縦添えされるテープ状介在６１と、この集合体の配列方向の延長線上であって且つこの配列の両側に設けられるテンションメンバ６２と、更にこの延長線上に設けられる支持線６３と、上記集合体、テープ状介在６１、テンションメンバ６２及び支持線６３を一括被覆するケーブルシース６４と、集合体の配列方向に対して垂直方向のケーブルシース表面に設けられるノッチ６６とを備えている。
【００７９】
このような構成によれば、作業者は、架空用クロージャ１０４から各ユーザ宅の設置された光成端箱に布設した後に、光ファイバドロップケーブル６０のノッチ６６を切欠きにケーブルシース６４を引き裂いて、光ファイバ着色心線１０の口出しを行う。光ファイバ着色心線１０の着色層には、２色以上の色の組合せにより構成されるユニークな着色が施されているため、これらの中から目的の１本の光ファイバ着色心線１０を容易に選び出すことができる。
【００８０】
尚、本実施の形態においては、図９に示すように光ファイバ着色心線の本数を８本としたが、本数はこれに限定されるものではない。また、８本の光ファイバ着色心線の基準色は、共通であっても、或いは４本ずつ２つの集合体毎に共通色を設けるようにしてもよい。これらは使用用途に応じて適宜設定するものとする。
【００８１】
図１０は、上記第５の実施の形態に係る光ファイバドロップケーブル６０の変形例である。
【００８２】
この光ファイバドロップケーブル７０は、前述した光ファイバドロップケーブル６０の断面構成において光ファイバ着色心線１−１〜１−８を横一列に並列配置していたことに代えて、光ファイバ着色心線を４本ずつ並列配置させた集合体を３個用意し、これらを平行に３段積層させたものである。
【００８３】
即ち、この光ファイバドロップケーブル７０は、４本の光ファイバ着色心線１ａ−１〜１ａ−４を並列配置してなる第１心線層の上に、光ファイバ着色心線１ｂ−１〜１ｂ−４を並列配置してなる第２心線層を平行に積層し、更にその上に同様の構成を有する第３心線層を積層させたものを、ケーブルシース６４で一括被覆したものである。
【００８４】
上記構成によれば、光ファイバ着色心線を並列配置してなる第１乃至第３の心線層を平行に積層し、これらの層間又はこれらを一体としてテープ状介在６１で挟み込むことで、図９と比較して、更に光ファイバ着色心線を複数本収納することができる。
【００８５】
尚、本実施の形態では、光ファイバ心線層の積層数を三層にしているが、積層数はこれに限らず二層又は四層、又はそれ以上であってもよい。
【００８６】
また更に、上記変形例として、複数層積層させた集合体を９０°回転させて収納するようにしてもよい。これにより上記同様の効果が得られると共に、ノッチ６６を切り裂いて光ファイバ心線を取り出すときに、テープ状介在６１が引き裂き方向に引っ張られるので光ファイバ心線の取り出し性も向上させることができる。
【図面の簡単な説明】
【００８７】
【図１】本発明の第１の実施の形態に係る光ファイバ着色心線の断面図である。
【図２】本発明の第１の実施の形態に係る光ファイバ着色心線の断面図の変形例である。
【図３】本発明の第２の実施の形態に係る光ファイバ着色テープ心線の断面図である。
【図４】本発明の第３の実施の形態に係る光ファイバケーブルの断面図であり、（ａ）は斜視図、（ｂ）はスロット拡大断面図である。
【図５】本発明の光ファイバ着色心線の着色層に付す配色の一例を示す表である。
【図６】本発明の第４の実施の形態に係る光ファイバケーブルの断面図であり、（ａ）は斜視図、（ｂ）はスロット拡大断面図である。
【図７】本発明の第３及び第４の実施の形態に係る光ファイバケーブルの変形例を示す図である。
【図８】本発明の第３及び第４の実施の形態に係る光ファイバケーブルの他の変形例を示す図である。
【図９】本発明の第５の実施の形態に係る光ファイバドロップケーブルの断面図である。
【図１０】本発明の第５の実施の形態に係る光ファイバドロップケーブルの変形例を示す図である。
【図１１】ＦＴＴＨの布設構成を示す図である。
【図１２】光ファイバケーブル１０３ａ、ｂの断面図である。
【図１３】光ファイバドロップケーブル１０６の断面図である。
【符号の説明】
【００８８】
１…光ファイバ
１０…光ファイバ着色心線
１１…光ファイバ素線
１２…第１の被覆層
１３…第２の被覆層
１４…オーバーコート層
１５ａ…第１の着色層
１５ｂ…第２の着色層
１７…光ファイバ着色心線
２０…光ファイバ着色テープ心線
２１…被覆
３０、３７、４０、５０…光ファイバケーブル
３１、４１…スロットロッド
３２、４２…スロット
３３…トレース
３４、４４、５４…テンションメンバ
３５、４５、５５…ケーブルシース
５３…介在対
６０、７０…光ファイバドロップケーブル
６１…テープ状介在
６２…テンションメンバ
６３…支持線
６４…ケーブルシース
６６…ノッチ
【図１】
2005331823.tif 000003
【図２】
2005331823.tif 000004
【図３】
2005331823.tif 000005
【図４】
2005331823.tif 000006
【図５】
2005331823.tif 000007
【図６】
2005331823.tif 000008
【図７】
2005331823.tif 000009
【図８】
2005331823.tif 000010
【図９】
2005331823.tif 000011
【図１０】
2005331823.tif 000012
【図１１】
2005331823.tif 000013
【図１２】
2005331823.tif 000014
【図１３】
2005331823.tif 000015